(57)【要約】【課題】  気化量の増減設定が可能な自然気化式の気化装置を提供すること。【解決手段】気化対象溶液を貯蔵する水槽１と、気化フィルター素片５ａを挿入・自立・保持させるための「ハ」の字型の気化フィルター挿入溝３を複数設けた水槽の蓋２に、吸水・蒸発性の素材からなる上部の気化部７を下部の吸水部６より広くして垂直に折り曲げた気化フィルター素片５ａを挿入し、気化フィルター素片５ａの気化部７と給水部６との段差部分が水槽の蓋２の表面と２箇所で密着して自立・保持して、水槽１内の気化対象溶液を気化させる。気化量の増減は気化フィルター素片５ａの枚数を増減することにより可能にする。これらにより、気化フィルター素片５ａを自立・保持するために複雑な気化フィルター素片５ａの保持構造体が不要になり、装置の部品点数が減り製品コストの引き下げが可能になる。【選択図】  図１
2013092268.tif 000002
【特許請求の範囲】
【請求項１】
気化対象溶液を貯蔵する水槽と、気化フィルター素片を挿入・自立・保持させるための「ハ」の字型の気化フィルター挿入溝を複数設けた水槽の蓋と、吸水・蒸発性の素材からなる２枚の吸水部を設けた気化フィルター素片を垂直に折り曲げ、水槽の蓋に任意枚数挿入して自立させ、気化対象溶液の気化量を増減させることを特徴とする自然気化式液体気化装置。
【請求項２】
気化フィルター素片を挿入・自立・保持させるための「ハ」の字型の気化フィルター素片の挿入溝と気化フィルター素片の楔状の突起を挿入する保持用孔の組合せを複数設けた水槽の蓋と、気化フィルター素片の吸水部に楔状の突起を設けて垂直に折り曲げ、水槽の蓋２に挿入して安定自立させ、多数の気化フィルター素片を接近して配置できることを特徴とする請求項１に記載の自然気化式液体気化装置。
【請求項３】
気化フィルター素片の気化部に縦長の通風用切抜きを設けて垂直に折り曲げ、気化フィルター素片間の空気の流れを円滑にして気化量の増加を図ることを特徴とする請求項１に記載の自然気化式液体気化装置。
【請求項４】
気化量を気化フィルター素片１枚以下に減らすために、気化フィルター素片の側面にカットするための目印の切込みを設けたことを特徴とする請求項１に記載の自然気化式液体気化装置。
【発明の詳細な説明】
【技術分野】
【０００１】
本発明は、吸水・蒸発性素材を利用して、液体を自然気化させるための装置に関する。
【背景技術】
【０００２】
従来から、無電力の自然気化式液体気化装置として、加湿器が家庭やホテルや車に使用されている。これらは吸湿性の不織布などの気化フィルターを水の入った容器に自立させ、自然に気化することを応用している。気化量を増やすため、気化フィルターを複雑な形状に加工し、気化フィルターの表面積を増やしている。しかし自然気化を促進するためには、気化した気体が気化フィルター表面近辺から速やかに移動されなければならないが、気化フィルターの複雑な形状が気化された気体の移動を妨げ、液体の気化量増加を阻害している。また、自然気化方式では気化量を簡便に変更できる装置は少なく、且つ高価であった。
【０００３】
特許文献１の本発明者が発明した自然気化式液体気化装置では、気化フィルターの枚数を変えることで気化量を増減設定が可能であるが、気化フィルター素片を容易に挿入・除去を可能にし、更に気化フィルターを安定自立させるために微細な複数の溝を持つ高精度のフィルター保持構造体が必要であり、製品コストを引き上げていた。
【先行技術文献】
【特許文献】
【０００４】
【特許文献１】特開２０１１−１０６７３１
【発明の概要】
【発明が解決しようとする課題】
【０００５】
自然気化式の液体気化装置の気化量は、気化対象液体を気化させるための気化フィルターなどの表面積を増やし、更に気化した気体を気化フィルター素片の近辺から速やかに移動させなければならない。
【０００６】
また、気化効率を高めて液体気化装置を使用する環境に合うための必要な気化量の増減設定が簡便に行えることが要望されている。
【０００７】
また、気化量を増減させるため、気化フィルター素片を容易に挿入・除去を可能にし、更に気化フィルター素片を自立させたとき、振れて気化フィルター素片同士が接触しないようにする必要がある。
【０００８】
また、安定自立させるために必要な微細な複数の溝を持つ高精度のフィルター保持構造体が製品コストの引き下げを困難にしていた。
【０００９】
また、従来の自然気化式液体気化装置は主に加湿器として使用されているため、気化対象溶液は水道水などの清水に限られており、脱臭や除菌溶液の腐食性のある液体を気化させるには困難でした。
【課題を解決するための手段】
【００１０】
（請求項１記載の発明の特徴）
請求項１に記載の発明は、液体気化装置に係わり、気化対象溶液を貯蔵する水槽と、気化フィルター素片を挿入・自立・保持させるための「ハ」の字型の気化フィルター挿入溝を複数設けた水槽の蓋と、吸水・蒸発性の素材からなる２枚の吸水部を設けた気化フィルター素片を垂直に折り曲げ、水槽の蓋に任意枚数挿入して自立させ、気化対象溶液の気化量を増減させることを特徴とする。
【００１１】
請求項１に記載の発明によれば、気化フィルターが複数の気化フィルター素片で構成されているため、任意枚数の気化フィルター素片の２枚からなる吸水部を「ハ」の字型の気化フィルター素片の挿入溝に装着すれば、好みの気化量に設定可能である。また、微細な複数の溝を持つ高精度のフィルター保持構造体が不要になり、製品コストの引き下げが可能である。
【００１２】
（請求項２記載の発明の特徴）
請求項２に記載の発明は、請求項１に記載の発明の構成要素を備えた上で、気化フィルター素片を挿入・自立・保持させるための「ハ」の字型の気化フィルター素片の挿入溝と気化フィルター素片の楔状の突起を挿入する保持用孔の組合せを複数設けた水槽の蓋と、気化フィルター素片の吸水部に楔状の突起を設けて垂直に折り曲げ、気化フィルター素片を安定自立させ、多数の気化フィルター素片を接近して配置できることを特徴とする。
【００１３】
請求項２に記載の発明によれば、気化フィルター素片の２枚の吸水部が「ハ」の字型の溝に、楔状の突起が保持用孔に挿入することで、気化フィルター素片と水槽の蓋が３点で密着して気化フィルター素片を垂直に安定して保持できる。これにより、気化フィルター素片を接近させて多数配置することが可能になり気化量を増やすことができる。
【００１４】
（請求項３記載の発明の特徴）
請求項３に記載の発明は、請求項１に記載の発明の構成要素を備えた上で、気化フィルター素片の気化部に縦長の通風用切抜きを設けて垂直に折り曲げ、気化フィルター素片間の空気の流れを円滑にして気化量の増加を図ることを特徴とする。
【００１５】
請求項３に記載の発明によれば、気化フィルター素片の気化部に縦長の通風用切抜きを設けることにより、気化フィルター素片を接近して配置した時でも、通風用切抜きが空気の流路を作り、気化フィルター素片の近辺から気化した気体を迅速に移動させることが可能となり、気化量増やすことができる。
【００１６】
（請求項４記載の発明の特徴）
請求項４に記載の発明は、請求項１に記載の発明の構成要素を備えた上で、気化量を気化フィルター素片１枚以下に減らすために、気化フィルター素片の側面にカットするための目印の切込みを設けたことを特徴とする。
【００１７】
請求項４に記載の発明によれば、気化フィルター素片が１枚でも気化量が多すぎることがある。気化フィルター素片の気化部の面積割合で、切取りの目印があれば、気化フィルター素片をカットして目的の気化量を得ることが容易になる。
【発明の効果】
【００１８】
本発明の自然気化式液体気化装置にあっては、対象とする空間容積や居住者数などの環境条件に合せて、気化フィルター素片数を変えることで多様な気化量のニーズに対応できる。
【００１９】
また、気化フィルターを自立・保持するために微細な複数の溝を持つ高精度のフィルター保持構造体が不要になり、装置の部品点数が減り、製品コストの引き下げが可能になる。
【００２０】
また、気化フィルター素片を垂直方向に折り曲げて気化面積を増やしているので、気化フィルター素片１枚当りの気化量を増加させることが可能になる。
【００２１】
また、水槽１の材質を耐食性が高い半透明なものにしてあるので、高濃度の脱臭・除菌溶液の使用が可能になる。
【００２２】
また、空気より重い気体を気化させる場合、自然気化式液体気化装置を高い壁面に設置することが多い。その場合、水槽の溶液残量が目視できるので溶液の補充確認に役立っている。
【図面の簡単な説明】
【００２３】
【図１】本発明に係わる自然気化式液体気化装置を模擬的に示す斜視図である。
【図２】本発明に係わる気化フィルター素片の気化部を吸水部より広くして２枚に分離して垂直に折り曲げた気化フィルター素片を示す斜視図である。
【図３】本発明に係わる「ハ」の字型の気化フィルター挿入溝と気化フィルター素片の楔状の突起を挿入する保持用孔の組合せを複数設けた水槽蓋を示す平面図である。
【図４】本発明に係わる気化フィルター素片の気化部を吸水部より広くして２枚に分離し、さらに、吸水部に楔状の突起を設けて垂直に折り曲げた気化フィルター素片を示す斜視図である。
【図５】本発明に係わる「ハ」の字型の気化フィルター挿入溝と気化フィルター素片の楔状の突起を挿入する保持用孔の組合せを複数設けた水槽の蓋に気化フィルター素片を挿入したとき、気化フィルター素片が水槽の蓋に接触する３箇所を示す断面図である。
【図６】本発明に係わる「ハ」の字型の気化フィルター挿入溝と気化フィルター素片の楔状の突起を挿入する保持用孔を設けた水槽の蓋に気化フィルター素片を挿入した状態を示す断面図である。
【図７】本発明に係わる気化フィルター素片の気化部に縦長の通風用溝を付加して垂直に折り曲げた気化フィルター素片を示す平面図である。
【図８】本発明に係わる気化フィルター素片の気化部に気化フィルターをカットする位置の切込みによる目印を設けて垂直に折り曲げた気化フィルター素片を示す平面図である。
【発明を実施するための形態】
【００２４】
以下、図面に基づき、本発明に係わる自然気化式液体気化装置の実施形態を説明する。図１は、本発明に係わる液体気化装置を模擬的に示す斜視図であり、気化対象溶液を貯蔵する水槽１と、気化フィルター素片５ａを挿入・自立・保持させるための「ハ」の字型の気化フィルター挿入溝３を複数設けた水槽の蓋２に、吸水・蒸発性の素材からなる上部の気化部７を下部の吸水部６より広くし、さらに、吸水部６を２枚に分割して垂直に折り曲げた気化フィルター素片５ａを挿入し、気化フィルター素片５ａの気化部７と給水部６との段差部分が水槽の蓋２の表面と２箇所で密着させて自立・保持させている。    
【００２５】
図２は、気化フィルター素片５ａの気化部７を吸水部６より広くし、さらに、吸水部６を２枚に分割して垂直に折り曲げた気化フィルター素片５ａを示す斜視図であり、気化フィルター素片５ａの気化部７を吸水部６より広くしことにより気化面積が増え、さらに、気化部７を折り曲げたことにより、気化面積を増やすことができる。又、吸水部６を２枚に分割したことで水槽の蓋２に挿入した際に気化フィルター素片５ａを自立・安定にする。
【００２６】
図３は、「ハ」の字型の気化フィルター挿入溝３と気化フィルター素片の楔状の突起を挿入する保持用孔４の組合せを複数設けた水槽の蓋２を示す平面図であり、「ハ」の字型の気化フィルター挿入溝３の交点に保持用孔４を設けて、気化フィルター素片５ｂを３点で支持し、自立・保持させている。
【００２７】
図４は、気化フィルター素片５ｂの吸水部６に楔状の突起８を設けた気化フィルター素片５ｂを示す斜視図であり、気化フィルター素片５ｂの吸水部６に楔状の突起８を設けて、気化フィルター素片と水槽の蓋２が３点で密着して保持される。
【００２８】
図５は、「ハ」の字型の気化フィルター挿入溝３と気化フィルター素片５ｂの楔状の突起８を挿入する保持用孔４の組合せを複数設けた水槽の蓋２に気化フィルター素片５ｂを挿入したとき、気化フィルター素片５ｂが水槽の蓋２に接触する３箇所を示す断面図である。気化フィルター素片５と水槽の蓋２が３点で密着することで気化フィルター素片５の揺れ振れが少なくなる。
【００２９】
図６は、「ハ」の字型の気化フィルター挿入溝３と気化フィルター素片５ｂの楔状の突起８を挿入する保持用孔４の組合せを複数設けた水槽の蓋２に気化フィルター素片５ｂを挿入した状態を示す断面図であり、気化フィルター素片５ｂの段差部分と、吸水部６に設けた楔状の突起８により、気化フィルター素片５ｂが水槽の蓋２に密着して自立・保持されている。
【００３０】
図７は、気化フィルター素片５ｃの気化部７に縦長の通風用溝９を付加して垂直に折り曲げた気化フィルター素片５ｃを示す平面図であり、気化フィルルター素片５ｃを多数配置するとき、気化した気体を速やかに周囲に放出する役目を担う。
【００３１】
図８は、気化フィルター素片５ｄの気化部７に気化フィルター素片５ｄをカットする位置の目印１０を設けた平面図であり、気化フィルター素片５ｄ１枚以下の気化量を必要とするとき、気化フィルター素片５ｄをカットするための切込みの目印１０により簡便にカットして気化面積を減らすことで気化量を減らすことが可能になる。
【符号の説明】
【００３２】
１  水槽
２  水槽の蓋
３  気化フィルター挿入溝
４  気化フィルター保持用孔
５  気化フィルター素片
５ａ  気化フィルター素片
５ｂ  気化フィルター素片（楔状の突起有り）
５ｃ  気化フィルター素片（楔状の突起有り、通風用切抜き有り）
５ｄ  気化フィルター素片（楔状の突起有り、通風用切抜き有り、カット目印有り）
６  気化フィルターの吸水部
７  気化フィルターの気化部
８  気化フィルター保持用突起
９  通風用切抜き
１０  気化フィルターカット位置の目印
１１  気化フィルター折り曲げ線
１２  溶液注入口
１３  気化フィルターの折り曲げ部と水槽の蓋が接触する部分
１４  気化フィルター保持用突起と水槽の蓋の保持孔が接触する部分
【図１】
2013092268.tif 000003
【図２】
2013092268.tif 000004
【図３】
2013092268.tif 000005
【図４】
2013092268.tif 000006
【図５】
2013092268.tif 000007
【図６】
2013092268.tif 000008
【図７】
2013092268.tif 000009
【図８】
2013092268.tif 000010